(57)【要約】【課題】外的衝撃により収納物がこぼれることがなく、片手の操作で適量の収納物を取り出し易く、収納容量が大きいタブレット回転取出ケースを提供する。【解決手段】平面形状が８の字状で、ケース本体200 は、底板110 の取出側に直線状カット部分を形成し、底板の取出側と補給側に回転軸を立設し、回転軸に、複数個のタブレット収納室をもつタブレット移送部材を歯車板上に立設し中心に摺動貫通孔を設けたリボルバー型回転部材120a,120b を挿着し、二つのリボルバー型回転部材の内側位置のタブレット収納室を相対向するように歯車板を噛み合わせ、底板の取出側と補給側とにリボルバー型回転部材を回転可能に重着し、ケース蓋100 は、取出側に直線状カット部分を形成し、直線状カット部分230 の下端に、リボルバー型回転部材の歯車板を突出させる歯車板回転用切欠きを設け、表側の周壁にタブレット取出用切欠き250 を設け、取出側と補給側の天板下面に軸受けを設ける。【選択図】図１
2005132417.tif 000002
【特許請求の範囲】
【請求項１】
平面形状が８の字状に取出側ケースと補給側ケースとが内側を連通させて接続する偏平なプラスチック製のケースであって、ケース本体とケース蓋とからなり、前記ケース本体は、底板の取出側の裏側の外周に直線状カット部分を形成し、前記底板の取出側と補給側のそれぞれの中心位置に回転軸を立設し、該二つの回転軸のそれぞれに、複数個のタブレット収納室を外周に沿って周方向に等間隔で放射状にもつタブレット移送部材を歯車板上に立設し中心位置に摺動貫通孔を設けるリボルバー型回転部材を挿着し、かつ該二つのリボルバー型回転部材の内側位置のタブレット収納室を相対向するように歯車板の歯車を噛み合わせて、前記底板の取出側と補給側とにそれぞれリボルバー型回転部材を回転可能に重着し、前記ケース蓋は、前記ケース本体の底板の直線状カット部分と対応させて、取出側の裏側の外周に直線状カット部分を形成し、該直線状カット部分の周壁の下端に、前記ケース本体の取出側のリボルバー型回転部材の歯車板の外周縁部を突出させる歯車板回転用切欠きを設け、表側に周壁下端から上方へタブレット取出用切欠きを設け、取出側と補給側の天板下面の中心位置に前記ケース本体の回転軸の軸受けをそれぞれに設けたことを特徴とするタブレット回転取出ケース。
【請求項２】
前記ケース本体及び／又は前記ケース蓋の材質を、透明な熱可塑性樹脂にしたことを特徴とする請求項１記載のタブレット回転取出ケース。
【発明の詳細な説明】
【技術分野】
【０００１】
本発明は、菓子や医薬品などの円柱状、角柱状、球形状のタブレットを、使用するときに、規定数量だけ正確に取り出すことができるタブレット回転取出ケースに関するものである。
【背景技術】
【０００２】
従来、回転取出ケースとしては、錘や釣り針などの釣り用具を収納し必要なときに収納物を取り出す釣り具用回転取出ケースがある。この釣り具用回転取出ケース（３０）は、図４に示すように、ケース本体（３００）にケース蓋（４００）が回転可能に装着した外観が円柱状のケースであり、ケース本体（３００）の構造は、図３（ｂ）に示すように、円形状の底板（３１０）上に収納室（３３０）を外周に沿って周方向に等間隔で放射状に仕切部材（３２０）で設けて形成し、中心位置に回転軸（３４０）を立設したものであり、ケース蓋（４００）の構造は、図３（ａ）に示すように、天板（４１０）と周壁（４４０）からなり、天板（４１０）にケース本体の収納室と対応する位置の一箇所に収納室形状の収納物取出窓（４２０）を設け、天板（４１０）下面の中心位置にケース本体の回転軸の軸受け（４３０）を設けたものであった。そして、ケース本体の収納室に収納されている収納物を取り出すときは、ケース蓋を回転させて、ケース蓋の収納物取出窓を取り出す収納物を収納しているケース本体の収納室位置に合わせて収納物取出窓から取り出すべき収納物を取り出すものであった。
【発明の開示】
【発明が解決しようとする課題】
【０００３】
しかしながら、上述の従来の回転取出ケースは、ケース蓋を回転させる構造であるため、持ち運びしているときに、外的衝撃でケース蓋が回転して収納物がこぼれてしまったり、使用するときに、位置合わせが難しかったり、片手で操作がしにくかったり、また、収納物の収納容量が少ないことなどがあった。
【０００４】
本発明は、上述の従来の回転取出ケースの問題点を解決したものであり、持ち運びしているときに、外的衝撃により収納物がこぼれることがなく、使用するときに、片手で操作ができ、位置合わせが容易で収納物を取り出しやすく、収納物を正確に適量だけ取り出すことができ、収納物の収納容量が比較的に大きいタブレット回転取出ケースを提供するものである。
【課題を解決するための手段】
【０００５】
すなわち、本発明の第１の発明は、平面形状が８の字状に取出側ケースと補給側ケースとが内側を連通させて接続する偏平なプラスチック製のケースであって、ケース本体とケース蓋とからなり、前記ケース本体は、底板の取出側の裏側の外周に直線状カット部分を形成し、前記底板の取出側と補給側のそれぞれの中心位置に回転軸を立設し、この二つの回転軸のそれぞれに、複数個のタブレット収納室を外周に沿って周方向に等間隔で放射状にもつタブレット移送部材を歯車板上に立設し中心位置に摺動貫通孔を設けるリボルバー型回転部材を挿着し、かつこの二つのリボルバー型回転部材の内側位置のタブレット収納室を相対向するように歯車板の歯車を噛み合わせて、前記底板の取出側と補給側とにそれぞれリボルバー型回転部材を回転可能に重着し、前記ケース蓋は、前記ケース本体の底板の直線状カット部分と対応させて、取出側の裏側の外周に直線状カット部分を形成し、この直線状カット部分の周壁の下端に、前記ケース本体の取出側のリボルバー型回転部材の歯車板の外周縁部を突出させる歯車板回転用切欠きを設け、表側に周壁下端から上方へタブレット取出用切欠きを設け、取出側と補給側の天板下面の中心位置に前記ケース本体の
回転軸の軸受けをそれぞれに設けたことを特徴とするタブレット回転取出ケースである。
【０００６】
そして、本発明の第２の発明は、前記ケース本体及び／又は前記ケース蓋の材質を、透明な熱可塑性樹脂にしたことを特徴とする第１の発明に記載のタブレット回転取出ケースである。
【発明の効果】
【０００７】
本発明のタブレット回転取出ケースは、取出側ケースと補給側ケースとが内側を連通させて接続する平面形状が８の字状の偏平なケースであり、取出側ケースと補給側ケース内にそれぞれ複数個のタブレット収納室をもつリボルバー型回転部材が内設されており、収納物の収納容量が比較的に大きい。また、タブレット収納室のそれぞれに一回の使用量のタブレットを収納して置くことにより、使用するときに収納物を正確に適量だけ取り出すことがでる。
【０００８】
また、本発明のタブレット回転取出ケースは、タブレットを取り出すときには、表側を下にし取出側ケースを斜め下方にして片手にもち、取出側ケースの裏側の直線状カット部分の周壁に設けられた歯車板回転用切欠きから突出する歯車板の外周縁部を親指で前方へ、図１（ｂ）に示すように、回転させる（矢印で示す）と、リボルバー型回転部材（１２０ａ，１２０ｂ）が回転し、取出側ケースの表側の周壁に設けられたタブレット取出用切欠き（２点鎖線で位置を示す）からタブレット取出用切欠き位置に来たタブレット収納室（１２３ａ）内のタブレット（２０）が排出される（矢印で示す）。つまり、本発明のタブレット回転取出ケースは、歯車板回転用切欠きから突出する歯車板の外周縁部を回転させることにより収納されているタブレットを取り出すものであるため、持ち運びしているときに、外的衝撃により収納物がこぼれることがなく、使用するときに、片手で操作ができ、位置合わせが容易で収納物を取り出しやすい。
【発明を実施するための最良の形態】
【０００９】
次に、本発明のタブレット回転取出ケースの一実施形態について、図を用いて詳細に説明する。
【００１０】
図１（ａ）は、本実施形態のタブレット回転取出ケースの蓋の平面図であり、図１（ｂ）は、ケース本体の平面図である。図２（ａ）は、本実施形態のタブレット回転取出ケースの背面図であり、図２（ｂ）は、正面図である。
【００１１】
本実施形態のタブレット回転取出ケース（１０）は、図２（ａ）及び（ｂ）又は図１（ａ）及び（ｂ）に示すように、平面形状が８の字状に取出側ケース（１１）と補給側ケース（１２）とが内側を連通させて接続する偏平なプラスチック製のケースであり、ケース本体（１００）にケース蓋（２００）を嵌合、咬合、圧入などにより取り外し可能に装着するものである。
【００１２】
本実施形態のケース本体（１００）は、図１（ｂ）に示すように、平面形状が円形状の取出側と平面形状が円形状の補給側とが中央位置で接続する平面形状が８の字状であり、その構造は、底板（１１０）の取出側の裏側の外周に直線状カット部分（１１１）を形成し、底板の取出側と補給側のそれぞれの中心位置に回転軸（１４０ａ，１４０ｂ）を立設し、この二つの回転軸のそれぞれに、５個のタブレット収納室（１２３ａ，１２３ｂ）を外周に沿って周方向に等間隔で放射状にもつタブレット移送部材（１２２ａ，１２２ｂ）を歯車板（１２１ａ，１２１ｂ）上に立設し中心位置に摺動貫通孔（１３０ａ，１３０ｂ）を設けるリボルバー型回転部材（１２０ａ，１２０ｂ）を挿着し、この二つのリボルバー型回転部材の内側位置のタブレット収納室を相対向するように歯車板の歯車を噛み合わせて、底板の取出側と補給側とにそれぞれリボルバー型回転部材を回転可能に重着するものである。なお、底板及びリボルバー型回転部材は、使用に合った適度の剛性をもつ熱可
塑性樹脂成形材料を用いて、射出成形法により作製するものである。
【００１３】
また、本実施形態のケース蓋（２００）は、図１（ａ）に示すように、ケース本体と同様に、平面形状が円形状の取出側と平面形状が円形状の補給側とが中央位置で接続する平面形状が８の字状であり、図１（ｂ）に示すケース本体（１００）の底板（１１０）の直線状カット部分（１１１）と対応させて、図１（ａ）に示すように、取出側の裏側の外周に直線状カット部分（２３０）を形成し、この直線状カット部分の周壁の下端に、図２（ａ）に示すように、ケース本体（１００）の取出側のリボルバー型回転部材の歯車板（１２１ａ）の外周縁部を突出させる歯車板回転用切欠き（２４０）を設け、図２（ｂ）及び図１（ａ）に示すように、表側に周壁（２２０）下端から天板（２１０）外周縁部に至るタブレット取出用切欠き（２５０）を設け、図１（ａ）に示すように、取出側と補給側の天板（２１０）下面の中心位置にケース本体の回転軸の軸受け（２６０ａ，２６０ｂ）をそれぞれに設けるものである。なお、ケース蓋は、適度の剛性をもつ着色又は透明な熱可塑性樹脂成形材料を用いて、射出成形法により作製するものである。
【００１４】
本実施形態のタブレット回転取出ケースは、取出側ケースのケース本体のタブレット取出用切欠き位置以外のタブレット収納室及び補給側ケースのケース本体のタブレット収納室に一回使用量のタブレットを装填し、このケース本体にケース蓋を装着するものである。タブレットを取り出すときは、前述したように、表側を下にし取出側ケースを斜め下方にして片手にもち、取出側ケースの裏側の直線状カット部分の周壁に設けられた歯車板回転用切欠きから突出する歯車板の外周縁部を親指で前方へ回転させると、取出側及び補給側のリボルバー型回転部材が歯車により回転し、タブレット取出用切欠き位置に来た取出側のリボルバー型回転部材のタブレット収納室内のタブレットがタブレット取出用切欠きから排出される。同時に、図１（ｂ）に示すように、補給側のリボルバー型回転部材（１２０ｂ）のタブレット収納室（１２３ｂ）内のタブレット（２０）が、取出側のリボルバー型回転部材（１２０ａ）の空のタブレット収納室（１２３ａ）内へ自然落下して（矢印で示す）補給される。
【００１５】
なお、ケース本体及び／又はケース蓋を透明にして置くと、タブレットを取り出したときの回転運動を、視覚的に楽しむこともできる。
【図面の簡単な説明】
【００１６】
【図１】（ａ）は、本発明の一実施形態のタブレット回転取出ケースの蓋の平面図であり、（ｂ）は、ケース本体の平面図である。
【図２】（ａ）は、本発明の一実施形態のタブレット回転取出ケースの背面図であり、（ｂ）は、正面図である。
【図３】（ａ）は、従来の一例の回転取出ケースの蓋の平面図であり、（ｂ）は、ケース本体の平面図である。
【図４】従来の一例の回転取出ケースの正面図である。
【符号の説明】
【００１７】
１０……タブレット回転取出ケース
１１……取出側ケース
１２……補給側ケース
２０……タブレット
３０……釣り具用回転取出ケース
１００，３００……ケース本体
１１０，３１０……底板
１１１，２３０……直線状カット部分
１２０ａ，１２０ｂ……リボルバー型回転部材
１２１ａ，１２１ｂ……歯車板
１２２ａ，１２２ｂ……タブレット移送部材
１２３ａ，１２３ｂ……タブレット収納室
１３０ａ，１３０ｂ……摺動貫通孔
１４０ａ，１４０ｂ，３４０……回転軸
２００，４００……ケース蓋
２１０，４１０……天板
２２０，４４０……周壁
２４０……歯車板回転用切欠き
２５０……タブレット取出用切欠き
２６０ａ，２６０ｂ，４３０……軸受け
３２０……仕切部材
３３０……収納室
４２０……収納物取出窓
【図１】
2005132417.tif 000003
【図２】
2005132417.tif 000004
【図３】
2005132417.tif 000005
【図４】
2005132417.tif 000006